(57)【要約】  【課題】  ポケットティッシュを形状保持性の高い状態で収納して、保護することができ、衛生的にも優れたポケットティッシュ用カバーを提供する。  【解決手段】  所定の展開形状をなした平面状の硬質プラスチックシートまたは硬質プラスチックフィルムに複数の折筋２２が形成され、該折筋２２に沿ってシートまたはフィルムの複数の部分を折り起こすことにより組み立てられた立体形状の包囲体２４を有し、包囲体２４の内部がポケットティッシュの収納空間となる。【選択図】  図１
0003110452.tif 000002
【実用新案登録請求の範囲】
【請求項１】
所定の展開形状をなした平面状の硬質プラスチックシートまたは硬質プラスチックフィルムに形成された複数の折線に沿って該硬質プラスチックシートまたは硬質プラスチックフィルムの複数の部分が折り起こされまたは折り返されることにより組み立てられた立体形状の包囲体を有し、該包囲体の内部がポケットティッシュの収納空間となることを特徴とするポケットティッシュ用カバー。
【請求項２】
前記硬質プラスチックシートまたは硬質プラスチックフィルムの展開状態において、前記折線の両端部は、端部から内側に向けて切り込まれており、該切り込まれた部分の輪郭は、曲線状をなすことを特徴とする請求項１記載のポケットティッシュ用カバー。
【請求項３】
前記所定の展開形状をなした平面状の硬質プラスチックシートまたは硬質プラスチックフィルムは、ポケットティッシュの裏面を支持するベース部分と、ポケットティッシュの表面を支持する表部分と、ベース部分及び表部分のいずれか一方に対して折り返し可能となった１つ以上の第１折り返し部と、ベース部分及び表部分のいずれか他方に対して折り返し可能に連結された第２折り返し部と、を有し、第２折り返し部が、第１折り返し部とベース部分及び表部分のいずれか一方との間に挿入されることで、立体形状の包囲体が構成されることを特徴とする請求項１記載のポケットティッシュ用カバー。
【請求項４】
前記包囲体の表面には、該包囲体内に収納されるポケットティッシュのティッシュ出口を露出させる開口が形成されており、前記所定の展開形状の一部から構成される蓋部が、該表面の開口を開閉可能であることを特徴とする請求項１記載のポケットティッシュ用カバー。
【請求項５】
前記包囲体の表面には、第２開口が形成されており、前記蓋部には、切込みにより揺動可能となった舌片が一体に形成されており、該舌片が前記第２開口に差込可能であることを特徴とする請求項４記載のポケットティッシュ用カバー。
【考案の詳細な説明】
【技術分野】
【０００１】
本考案は、ポケットティシュ用カバーに関する。
【背景技術】
【０００２】
従来、ポケットティッシュは、複数のティッシュが折り重ねられて、軟質のプラスチックフィルムからなるポケットティッシュ用袋に収納されており、該袋の表面に穿孔されたミシン線を切り離すことにより、ティッシュ出口が形成されるようになっている。そして、ティッシュ出口から１枚ずつティッシュをポケットティッシュ袋から引き出して、使用に供される。
【考案の開示】
【考案が解決しようとする課題】
【０００３】
しかしながら、従来のポケットティッシュ用袋は、軟質のプラスチックフィルムからなるものであり、形状保持性がないために、携帯中にその形状がくずれるという問題がある。特に、ミシン線が切り離されてティッシュ出口が形成されると、その形状保持性が一層低下するために、形状がくずれるのみならず、未使用のティッシュがティッシュ出口からはみ出したりして、衛生上好ましくない、という問題がある。
【０００４】
また、ティッシュ出口が外部に露出しているために、ティッシュ出口からごみなどの異物の混入のおそれもあり、その点からも衛生上好ましくない、という問題がある。
【０００５】
本考案は、かかる課題に鑑みなされたもので、その目的は、ポケットティッシュを形状保持性の高い状態で収納して保護することができ、衛生上にも優れたポケットティッシュ用カバーを提供することである。
【課題を解決するための手段】
【０００６】
前述した目的を達成するために、請求項１記載の考案によるポケットティッシュ用カバーは、所定の展開形状をなした平面状の硬質プラスチックシートまたは硬質プラスチックフィルムに形成された複数の折線に沿って該硬質プラスチックシートまたは硬質プラスチックフィルムの複数の部分が折り起こされまたは折り返されることにより組み立てられた立体形状の包囲体を有し、該包囲体の内部がポケットティッシュの収納空間となることを特徴とする。
【０００７】
請求項２記載の考案は、請求項１記載の前記硬質プラスチックシートまたは硬質プラスチックフィルムの展開状態において、前記折線の両端部は、端部から内側に向けて切り込まれており、該切り込まれた部分の輪郭は、曲線状をなすことを特徴とする。
【０００８】
請求項３記載の考案は、請求項１記載の前記所定の展開形状をなした平面状の硬質プラスチックシートまたは硬質プラスチックフィルムが、ポケットティッシュの裏面を支持するベース部分と、ポケットティッシュの表面を支持する表部分と、ベース部分及び表部分のいずれか一方に対して折り返し可能となった１つ以上の第１折り返し部と、ベース部分及び表部分のいずれか他方に対して折り返し可能に連結された第２折り返し部と、を有し、第２折り返し部が、第１折り返し部とベース部分及び表部分のいずれか一方との間に挿入されることで、立体形状の包囲体が構成されることを特徴とする。
【０００９】
請求項４記載の考案は、請求項１記載のものにおいて、前記包囲体の表面には、該包囲体内に収納されるポケットティッシュのティッシュ出口を露出させる開口が形成されており、前記所定の展開形状の一部から構成される蓋部が、該表面の開口を開閉可能であることを特徴とする。
【００１０】
請求項５記載の考案は、請求項４記載の前記包囲体の表面に、第２開口が形成されており、前記蓋部には、切込みにより揺動可能となった舌片が一体に形成されており、該舌片が前記第２開口に差込可能であることを特徴とする。
【考案の効果】
【００１１】
本考案によれば、平面状の硬質プラスチックシートまたは硬質プラスチックフィルムの複数の部分を折り起こしまたは折り返すことにより、立体形状の包囲体を構成するために、安価に構成でき、且つ硬質プラスチックの形状保持性により、ポケットティッシュを形状保持性の高い状態で収納して保護することができ、衛生上も優れたものとすることができる。
【００１２】
請求項２記載の考案によれば、折線の端部が切り込まれて、その輪郭が曲線状であるために、立体状の包囲体の角部が丸くなり、該角部が洋服やバッグなどに引っ掛かることなく、手を傷つけることもない。
【００１３】
請求項３記載の考案によれば、ベース部分及び表部分のいずれか他方に折り返し可能となった第２折り返し部が、第１折り返し部とベース部分及び表部分のいずれか一方との間に挿入されることで、包囲体が簡単に分解されることなく、確実に包囲体を組み立てた状態に維持することができる。第２折り返し部を取り出すことにより、簡単に包囲体を分解することができるので、簡単にポケットティッシュを収納でき、且つ内部に収納するポケットティッシュを簡単に交換することができる。
【００１４】
請求項４記載の考案によれば、蓋部によって不使用時にティッシュ出口を閉塞することにより一層衛生的にすることができる。
【００１５】
請求項５記載の考案によれば、第２開口に舌片を差し込むことで、蓋部を表面に止めておくことができるので、一層衛生的であると共に、別部品としての止具を必要としないので、安価に構成することができる。
【考案を実施するための最良の形態】
【００１６】
以下、図面を用いて本考案の実施の形態を説明する。尚、本考案は下記実施形態に限定されるものではない。
【００１７】
（第１の実施形態）
図１は本考案のポケットティッシュ用カバーの第１の実施形態を表す全体斜視図、図２はその展開図である。
【００１８】
このポケットティッシュ用カバー１０は、ポリプロピレン、ポリエチレン、塩化ビニル等の任意の合成樹脂から製造される硬質プラスチックシートまたは硬質プラスチックフィルムからなる。
【００１９】
展開図において、このポケットティッシュ用カバー１０は、立体形状となるために必要な所定の展開形状をなしており、ポケットティッシュの平面形状に対応する形状及び大きさを持つ矩形状のベース部１２、ベース部１２の対向する二辺に直接に連結する一対の折り返し部１４、１４、ベース部１２の一辺にまち部１５を介して連結する表部１６、表部１６の三辺にまち部１７を介して連結する折り返し部１８、１８、１８、及びベース部１２の残りの一辺にまち部１９を介して連結する蓋部２０を有しており、各部の間には、折線となる折筋２２が形成されている。
【００２０】
好ましくは、各部の間の折筋２２の両端部分は、図３に示すように、端部から内側に向けて切り込まれており、該切り込まれた部分の輪郭が曲線状をなすとよい。
【００２１】
表部１６には、開口１６ａと、第２開口１６ｂが穿設されており、また、蓋部２０には、切込み２０ａが形成されている。切込み２０ａにより包囲された部分は、後述のように第２開口１６ｂに差込可能な舌片２０ｂとなる。
【００２２】
このような展開形状を製造するのは、任意の形状に成形されたシートまたはフィルムを所定の形状に型抜きすることにより行なうことができ、所定の形状に型抜きする際に、同時に折筋、開口及び切込みを形成することができる。
【００２３】
以上の展開形状から図４に示す手順で、まず、折筋２２に沿って折り返し部１４、１４を折り返し、まち部１７、１７、１７を折り起こし、折り返し部１８、１８、１８を折り返す(図４(ａ))。次いで、まち部１５を折り起こし、表部１６を折り返すと共に、表部１６のベース部１２と対向する側にある折り返し部１８を、前記折り返し部１４、１４とベース部１２との間に差し込む(図４（ｂ）、図５参照)。これによって、ベース部１２、まち部１５、１７、１７、１７、表部１６を主たる構成面とする直方体の包囲体２４が完成する。その内部空間は、ポケットティッシュの収納空間となり、表部１６の開口１６ａは、ポケットティッシュのティッシュ出口に整合する。
【００２４】
包囲体２４に対して、蓋部２０は、まち部１９を介して折筋２２を中心として揺動自在であるため、蓋部２０は包囲体２４を構成する表部１６を開閉することができる。図５に示すように、蓋部２０を閉じるときには、蓋部２０の舌片２０ｂを起こして(図５(ａ))、表部１６の第２開口１６ｂ内に差し込む。このときに、舌片２０ｂは、内部空間内に一度入り込むが（図５（ｂ））、内部空間に収納されるポケットティッシュ（図５に点線で示す）に柔軟性があるために、舌片２０ｂは抵抗を受けることもなく、内部空間内に挿入され、さらに揺動して、蓋部２０の他の部分と平行になる(図５（ｃ）)。
【００２５】
包囲体２４へポケットティッシュを収納する場合には、図４と逆の手順で、一度、包囲体２４を展開して、ポケットティッシュを通常は軟質のプラスチックフィルムからなるポケットティッシュ用袋毎、ベース部１２に載置した後、図４の手順で組み立てればよい。よって、ポケットティッシュの収納及び交換を簡単に行なうことができる。
【００２６】
また、組み立てられた包囲体２４は、折り返し部１８が他の折り返し部１４とベース部１２との間に挿入されるので、簡単に分解されることはなく、形状を保持することができる。従って、ポケットティッシュの形状が崩れることがなく、衛生的に優れている。また、水や油がかかっても、内部のポケットティッシュに染み入ることがない。
【００２７】
尚、この例では、包囲体２４が組み立てられている状態で、折り返し部１８が折り返し部１４とベース部１２との間に挿入されるようになっていたが、ベース部１２と表部１６との関係を逆にし、ベース部に連結される折り返し部が表部に対して折り返される折り返し部と表部との間に挿入されるように構成することも可能である。
【００２８】
さらに、組み立てられた後の包囲体２４には、折線の端部の輪郭が曲線状の切込みとなっているので、立体状の包囲体の角部が丸くなり、該角部が洋服やバッグなどに引っ掛かることなく、手を傷つけることもない。
【００２９】
また、蓋部２０は必須ではないが、蓋部２０を設けた場合には、蓋部２０を閉じることにより、不使用時に開口１６ａ及びポケットティッシュの出口を覆うことができるので、より衛生的にすることができる。また、蓋部２０及びその蓋部２０を止める舌片２０ｂが一体に構成されるので、別部品としての止具を不要とすることができて、少ない部品点数で安価に構成することができる。
【００３０】
（第２の実施形態）
図６は、本考案のポケットティッシュ用カバーの第２の実施形態を表す全体斜視図、図７はその展開図である。同図において、第１実施形態と同様の部分は同一の符号を付し、その説明を省略する。
【００３１】
この実施形態におけるポケットティッシュ用カバー１０−１の展開図は、図２に比較して、まち部１５，１７，１９がない点で、第１実施形態と異なっている。
【００３２】
まち部を省略した場合であっても、折り返し部１４、１８のスプリングバックにより、折り返し部１４、１８はベース部１２や表部１６に対して完全に折り返されるのではなく、やや折り起こされた状態となっているために、まち部の役割を果たし、従って、包囲体２４を構成することができる。
【００３３】
この実施形態においても、第１実施形態と同様の作用・効果を果たすことができる。
【図面の簡単な説明】
【００３４】
【図１】本考案のポケットティッシュ用カバーの第１の実施形態を表す全体斜視図であり、(ａ)は蓋部が開いている状態、（ｂ）は蓋部が閉じている状態を表す。
【図２】第１の実施形態のポケットティッシュ用カバーの展開図である。
【図３】図２の展開図の部分拡大図である。
【図４】ポケットティッシュ用カバーを展開状態から組み立てる手順を表す平面図である。
【図５】図１（ｂ）の５−５線に沿って見た蓋部を閉じる際の断面図である。
【図６】本考案のポケットティッシュ用カバーの第２の実施形態を表す全体斜視図であり、(ａ)は蓋部が開いている状態、（ｂ）は蓋部が閉じている状態を表す。
【図７】第２の実施形態のポケットティッシュ用カバーの展開図である。
【符号の説明】
【００３５】
１０、１０−１  ポケットティッシュ用カバー
１２  ベース部
１４  折り返し部
１６  表部
１６ａ  開口
１６ｂ  第２開口
１８  折り返し部
２０  蓋部
２０ｂ  舌片
２２  折筋（折線）
２４  包囲体
【図１】
0003110452.tif 000003
【図２】
0003110452.tif 000004
【図３】
0003110452.tif 000005
【図４】
0003110452.tif 000006
【図５】
0003110452.tif 000007
【図６】
0003110452.tif 000008
【図７】
0003110452.tif 000009